(57)【要約】【課題】ソリッドセパレーション型汚水中継ポンプ設備において、維持管理の簡易性を確保しつつ、流入槽から汚水貯留槽へのし渣の越流を確実に防止する。【解決手段】流入槽５の上部開口１７には平面視で流入管２が配置されている部分を除いてスクリーン１００が設けられている。スクリーン１００は流入槽５の側壁に着脱可能に固定された多数の捕捉ロッド１０６を備える。捕捉ロッド１０６間の隙間は水中ポンプ７Ａ〜７Ｃの異物通過径以下に設定されている。【選択図】図２
2010116752.tif 000002
【特許請求の範囲】
【請求項１】
流入管を介して上流側から流入する汚水を、送水管を介して下流側に送水する汚水中継ポンプ設備であって、
前記流入管及び前記送水管が内部まで延びている汚水貯留槽と、
前記汚水貯留槽内に配置され、底部と側壁部とを備えると共に上部開口を有し、前記上部開口に前記流入管の開口端が配置され、前記流入管から内部に汚水が流入する流入槽と、
平面視で上記流入管が配置されている部分を除いて前記流入槽の前記上部開口に配置され、複数の捕捉部材が間隔を開けて配置してなるスクリーンと、
前記汚水貯留槽内で前記流入槽の下方に配置され、前記流入槽の前記底部に開口した流入口と、前記流入口からの汚水の流入は許容するが前記流入口からの汚水の流出は阻止する逆流防止機構と、前記送水管に接続された流出口と、汚水出入口とを備えるし渣分離槽と、
前記汚水貯留槽内に配置され、吐出口が前記し渣分離槽の前記汚水出入口に接続される一方、吸込口が前記汚水貯留槽内に開放し、停止時に吐出口から吸込口への汚水の逆流を許容する水中ポンプと、
前記し渣分離槽の前記汚水出入口と前記水中ポンプの前記吐出口との間に介設され、前記汚水出入口から前記吐出口に流入する汚水からし渣を分離し、かつ前記吐出口から前記汚水出入口への汚水の流れを許容する固液分離機構と
を備える汚水中継ポンプ設備。
【請求項２】
前記スクリーンの前記捕捉部材は、ロッド状部材又は板状部材である、請求項１に記載の汚水中継ポンプ設備。
【請求項３】
前記捕捉部材は、基端側が前記流入槽の側壁に着脱可能に取り付けられている、請求項１又は請求項２に記載の汚水中継ポンプ設備。
【請求項４】
前記捕捉部材は、基端側が前記流入槽の側壁部に対して回動可能に取り付けられている、請求項１又は請求項２に記載の汚水中継ポンプ設備。
【請求項５】
前記捕捉部材の先端側が前記流入槽の前記上部開口から前記流入槽の内部に向けて斜め下向きに延びている、請求項１から請求項４のいずれか１項に記載の汚水中継ポンプ設備。
【発明の詳細な説明】
【技術分野】
【０００１】
本発明は、下水道における汚水の送水に使用されるソリッドセパレーション型の汚水中継ポンプ設備に関する。
【背景技術】
【０００２】
下水道における汚水の送水に使用されるソリッドセパレーション型の汚水中継ポンプ設備が知られている（例えば特許文献１，２参照）。ソリッドセパレーション型の汚水中継ポンプ設備は、汚水貯留槽、流入管、流入槽、し渣分離槽、セパレータ及び水中ポンプ（汚水ポンプ）を備える。汚水中に含まれるし渣をセパレータによって分離し、し渣をし渣分離槽に一時貯留させた後、逆方向からのポンプ吐出水流によりし渣を汚水と共に圧送することで、設備に流入するポンプ異物通過径以上のし渣で汚水ポンプを閉塞させることなく送水できる。
【０００３】
特許文献１，２に記載のソリッドセパレーション型汚水中継ポンプ設備の流入槽は、定期清掃を行うことを前提に上面全体を大面積の開口（上部開口）とし、側壁にスリット等の開口を設けた構成としている。流入管から流入した汚水に含まれる大型のし渣は流入槽上に残留し、比較的小型のし渣を含む汚水が流入槽からし渣分離槽に流入する。し渣分離槽の流入口や固液分離機構が一時的に閉塞した場合、流入管から流入する汚水が流入槽から溢れて汚水貯留槽に直接越流（流入）する。この越流する汚水を側壁に設けた開口を通過させることにより、前述の大型のし渣が汚水貯留槽内に越流するのを防止している。
【０００４】
【特許文献１】特許第４１４５８６１号明細書
【特許文献２】特許第４１４５８６２号明細書
【発明の開示】
【発明が解決しようとする課題】
【０００５】
しかし、特許文献１，２のソリッドセパレーション型汚水中継ポンプ設備では定期清掃を怠り側壁の開口が目詰まりすると、越流時に流入槽の上部開口より大型のし渣が汚水貯留槽に越流する。汚水貯留槽に越流した大型のし渣を水中ポンプが吸い込み、閉塞を起こす可能性がある。また、不明水や一時的な計画汚水流入量以上の流入がある場合、側壁の開口部が目詰まりを起こしていなくても、上部開口より大型のし渣が汚水貯留槽内に越流する可能性もある。
【０００６】
大型のし渣の越流を防止するために流入槽の上部開口を網状部材で塞ぐことが考えられる。網状部材の網目を通って汚水が越流可能である一方、網目を通過できない大型のし渣は流入槽内に残留するので、大型のし渣が流入槽から汚水貯留槽に越流するのを防止できる。しかし、流入槽に残留した大型のし渣を除去する度に上部開口から網を外す作業が必要であり維持管理が煩雑となる。また、網状部材に髪の毛、布等のし渣が絡まってしまい、除去が非常に困難となる。この点でも、網状部材を採用すると維持管理が煩雑となる。
【０００７】
本発明は、かかる従来のソリッドセパレーション型汚水中継ポンプ設備における問題に鑑みてなされたものであり、維持管理の簡易性を確保しつつ、流入槽から汚水貯留槽へのし渣の越流を確実に防止することを課題とする。
【課題を解決するための手段】
【０００８】
本発明は、流入管を介して上流側から流入する汚水を、送水管を介して下流側に送水する汚水中継ポンプ設備であって、前記流入管及び前記送水管が内部まで延びている汚水貯留槽と、前記汚水貯留槽内に配置され、底部と側壁部とを備えると共に上部開口を有し、前記上部開口に前記流入管の開口端が配置され、前記流入管から内部に汚水が流入する流入槽と、平面視で上記流入管が配置されている部分を除いて前記流入槽の前記上部開口に配置され、複数の捕捉部材が間隔を開けて配置してなるスクリーンと、前記汚水貯留槽内で前記流入槽の下方に配置され、前記流入槽の前記底部に開口した流入口と、前記流入口からの汚水の流入は許容するが前記流入口からの汚水の流出は阻止する逆流防止機構と、記送水管に接続された流出口と、汚水出入口とを備えるし渣分離槽と、前記汚水貯留槽内に配置され、吐出口が前記し渣分離槽の前記汚水出入口に接続される一方、吸込口が前記汚水貯留槽内に開放し、停止時に吐出口から吸込口への汚水の逆流を許容する水中ポンプと、前記し渣分離槽の前記汚水出入口と前記水中ポンプの前記吐出口との間に介設され、前記汚水出入口から前記吐出口に流入する汚水からし渣を分離し、かつ前記吐出口から前記汚水出入口への汚水の流れを許容する固液分離機構とを備える汚水中継ポンプ設備を提供する。
【０００９】
水中ポンプの停止時には、流入管の開口端から流入槽の内部に汚水が流入し、さらに流入槽の底部に開口した流入口からし渣分離槽内に流入する。し渣分離槽に流入した汚水は、し渣分離槽の汚水出入口、固液分離機構、水中ポンプの吐出口、及び水中ポンプの吸込口を経て、汚水貯留槽内に流入する。固液分離機構により水中ポンプの吐出口に流入する汚水からし渣が分離される。従って、し渣分離槽内にはし渣が蓄積され、汚水貯留槽内にはし渣を分離済みの汚水のみが蓄積される。水中ポンプを作動させると、汚水貯留槽に蓄積された汚水が水中ポンプの吸込口、水中ポンプの吐出口、及び固液分離機構を介して汚水出入口からし渣分離槽内に流入し、し渣分離槽内に蓄積されたし渣と共に流出口から送水管へ圧送される。
【００１０】
し渣分離槽の流入口や固液分離機構が一時的に閉塞した場合や、不明水や一時的な計画汚水流入量以上の流入がある場合、流入管から流入する汚水が流入槽から溢れて汚水貯留槽に直接越流（流入）する。この越流する汚水に夾雑物ないしは大型のし渣が含まれていると、水中ポンプの作動時、吸込口にこの大型のし渣が吸い込まれ、水中ポンプの閉塞を引き起こす。上部開口には複数の捕捉部材が間隔を開けて設けた構造のスクリーンが配置されているので、上部開口を通って流入槽から汚水貯留槽へ越流する汚水に含まれる大型のし渣は捕捉部材で捕捉されることで流入槽内に残る。その結果、汚水の越流が生じた場合でも汚水貯留槽内への大型のし渣の越流を確実に防止し、それに起因する水中ポンプの閉塞を防止できる。
【００１１】
具体的には、前記捕捉部材は、ロッド状部材又は板状部材である。
【００１２】
前記捕捉部材は、基端側が前記流入槽の側壁に着脱可能に取り付けられていることが好ましい。
【００１３】
この場合、捕捉部材を流入槽から取り取り外せば流入槽内に残留している大型のし渣を取り出すことができるので、定期清掃等の維持管理が容易である。
【００１４】
代案としては、前記捕捉部材は、基端側が前記流入槽の側壁部に対して回動可能に取り付けられる。
【００１５】
この場合、捕捉部材を回動させて流入槽の上部開口から退避させれば流入槽内に残留している大型のし渣を取り出すことができるので、定期清掃等の維持管理が容易である。
【００１６】
前記捕捉部材の先端側が前記流入槽の前記上部開口から前記流入槽の内部に向けて斜め下向きに延びることが好ましい。
【００１７】
捕捉部材の先端が斜め下向きに延びていれば、越流時に捕捉部材に捕捉されたし渣は自重によって捕捉部材の先端に向けて移動し、最終的には捕捉部材の先端から流入槽内に落下する。また、スクリーン（流入槽の上部開口）に向けて上方から水を掛けるだけで捕捉部材で捕捉されたし渣は先端に向けて移動して流入槽内に落下する。従って、捕捉部材の先端が斜め下向きに延びる構成により、定期清掃等の維持管理がより容易になる。
【発明の効果】
【００１８】
本発明の汚水中継ポンプ設備では、流入槽の上部開口を複数の捕捉部材が間隔を開けて設けた構造のスクリーンを配置したことにより、越流が生じた場合でも汚水貯留槽内への大型のし渣の越流を確実に防止し、それに起因する水中ポンプの閉塞を防止できる。また、スクリーンを構成する捕捉部材を流入槽の側壁に着脱可能又は回動可能とすることで、流入槽内に残留したし渣を簡単に取り出すことができ、定期清掃等の維持管理が容易である。さらに、捕捉部材の先端を斜め下向きに延びる構成とすることで、越流時に捕捉部材に捕捉されたし渣が確実に流入槽内に落下するので、定期清掃等の維持管理がより容易になる。このように、本発明の汚水中継ポンプ設備によれば、維持管理の簡易性を確保しつつ、流入槽から汚水貯留槽へのし渣の越流を確実に防止できる。
【発明を実施するための最良の形態】
【００１９】
次に、添付図面を参照して本発明の実施形態を詳細に説明する。
【００２０】
（第１実施形態）
図１から図７は、本発明の第１実施形態にかかるマンホール型の汚水中継ポンプ設備１を示す。
【００２１】
汚水中継ポンプ設備１は、流入管２を介して上流側から流入する汚水を、送水管３を介して下流側に送水する。汚水中継ポンプ設備１は、地中に埋設され汚水貯留槽４を備え、この汚水貯留槽４内に、流入槽５、し渣分離槽６Ａ，６Ｂ，６Ｃ、汚水ポンプである水中ポンプ７Ａ，７Ｂ，７Ｃ、及び固液分離機構であるセパレータ８Ａ，８Ｂ，８Ｃが配置されている。図２にのみ示すコントローラ９は、投込式水位計１０やフロート式水位計１１からの入力に基づいて、水中ポンプ７Ａ〜７Ｃの運転を制御する。地表に設けられた建屋１２内には汚水貯留槽４の上部の搬入出口４ａを介して水中ポンプ７Ａ〜７Ｃを搬入出するための吊り下げ装置１３が配置されている。
【００２２】
本実施形態では、上流側から１本の流入管２が汚水貯留槽４の内部に延び、１本の送水管３が汚水貯留槽４の内部から下流側に延びている。しかし、流入管２や送水管３の本数は２本以上であってもよい。
【００２３】
図８から図１１を併せて参照して流入槽５について説明する。流入槽５は全体として矩形の箱体状であり、平面視で長方形状の底板（底部）１５と、この底板１５から上向きに延びる４つの側壁部１６Ａ，１６Ｂ，１６Ｃ，１６Ｄを備える。流入槽５は、し渣分離槽６Ａ〜６Ｃの頂部に配置されている。本実施形態では、流入槽５の底板１５はし渣分離槽６Ａ〜６Ｃの上蓋として機能する。側壁部１６Ａ〜１６Ｄの上方部分には後述する水中ポンプ７Ａ〜７Ｃの異物通過径以下の幅を有する縦長のスリット状である多数の側部開口１６ａが設けられている。側部開口１６ａはスリット状に限定されず、矩形等の孔であってもよい。また、流入槽５の上部には平面視で長方形状を呈する上部開口１７が設けられている。流入管２の開口端２ａは、上部開口１７から流入槽５の内部まで延びている。流入管２の開口端２ａは流入槽５の底板１５の上方に位置しており、各流入管２の開口端２ａと底板１５の間には間隔があけられている。上部開口１７には、平面視で流入管２が配置されている部分を除いてスクリーン１００が配置されている。
【００２４】
本実施形態におけるスクリーン１００は、それぞれ流入槽５の対向する側壁部１６Ａ，１６Ｃに着脱可能に装着された一対のスクリーンユニット１０１Ａ，１０１Ｂにより構成されている。これらのスクリーンユニット１０１Ａ，１０１Ｂは同一構造であるので、以下では特に言及しない限り、スクリーンユニット１０１Ａについて説明する。
【００２５】
スクリーンユニット１０１Ａは側壁部１６Ａの上端に載せられた断面形状が逆Ｕ字状の細長いベース部材１０２を備える。ベース部材１０２は図１０にのみ示すボルト１０３及びナット１０４を備えるねじ止め機構１０５によって側壁部１６Ａの状態に着脱可能に固定されている（ねじ止め機構１０５はベース部材１０２の長手方向の２個所以上に設けられている）。ねじ止め機構１０５のボルト１０３を緩めることでスクリーンユニット１０１Ａ（ベース部材１０２）を側壁部１６Ａから取り外すことができる。逆に、いったん取り外したベース部材１０２を側壁部１６Ａの上端に載せた後にねじ止め機構１０５のボルト１０３を締め付けることで、スクリーンユニット１０１Ａ（ベース部材１０２）を側壁部１６Ａに再度固定できる。
【００２６】
ベース部材１０２には多数の捕捉ロッド（捕捉部材）１０６が間隔をあけて設けられている。図１０を参照すると、捕捉ロッド１０６はベース部材１０２に固定された基端部１０６ａ、この基端部１０６ａから斜め上方に延びる第１中間部１０６ｂ、第１中間部１０６ｂの先端から斜め下向きに延びる第２中間部１０６ｃ、及び第２中間部１０６ｃの先端から斜め下向きに延びる先端部１０６ｄを備える。隣接する捕捉ロッド１０６間の間隔は流入槽５から越流しようとする汚水の通過は許容するが、水中ポンプ７Ａ〜７Ｃを閉塞させるような比較的大型のし渣の通過は許容しないように設定されている。具体的には、隣接する捕捉ロッド１０６間の間隔は、後述する水中ポンプ７Ａ〜７Ｃの異物通過径以下に設定されている。
【００２７】
図１１に示すように、流入管２の開口端２ａが流入槽５の上部開口１７を通過する部分では、捕捉ロッド１０６の長さを他の部分より短く設定して流入管２と干渉しないように設定している。この部分での捕捉ロッド１０６の先端と流入管２の外周との間の隙間も大型のし渣の通過は許容しないように水中ポンプ７Ａ〜７Ｃの異物通過径以下に設定されている。一対のスクリーンユニット１０１Ａ，１０１Ｂの捕捉ロッド１０６の先端は側壁部１６Ａ，１６Ｃの延びる方向に互い違いに配置されている。一対のスクリーンユニット１０１Ａ，１０１Ｂの捕捉ロッド１０６の先端が互いに対向する配置としてもよい。一対のスクリーンユニット１０１Ａ，１０１Ｂの捕捉ロッド１０６の先端間に形成される隙間も、大型のし渣の通過は許容しないように、水中ポンプ７Ａ〜７Ｃの異物通過径以下に設定されている。
【００２８】
次に、し渣分離槽６Ａ〜６Ｃを説明する。し渣分離槽６Ａ〜６Ｃは、汚水貯留槽４の底部に配置された予旋回槽２６に固定されている。予旋回槽２６を設けない構成も可能である。また、し渣分離槽６Ａ〜６Ｃは、その上端に流入槽５の内部と連通する流入口２７を備える。図６に示すよう、流入槽５の底板１５の貫通孔１５ａには板厚方向に貫通するように流入口２７を形成した円板２８が固定されている
【００２９】
図６を参照すると、し渣分離槽６Ａ〜６Ｃの内部には、ボール３１が収容されている。円板２８の下面（し渣分離槽６Ａ〜６Ｃの内部側の面）の流入口２７の周縁は弁座３２として機能し、ボール３１が弁座３２から離脱していれば流入口２７が開放され、ボール３１が弁座３２に着座していれば流入口２７が閉鎖される。ボール３１及び弁座３２は流入管２からし渣分離槽６Ａ〜６Ｃの内部への汚水の流入は許容するが、し渣分離槽６Ａ〜６Ｃの内部から流入管２への汚水の逆流を阻止する逆流防止機構として機能する。し渣分離槽６Ａ〜６Ｃの流入口２７の流路径Ｄ１は、後述するし渣分離槽６Ａ〜６Ｃの流出管３４の流路径Ｄ２（図２参照）以下に設定している。
【００３０】
し渣分離槽６Ａ〜６Ｃの下部には、流出口として機能する１本の流出管３４が設けられている。各し渣分離槽６Ａ〜６Ｃの流出管３４は対応する送水支管３５Ａ〜３５Ｃの一端に接続されている。送水支管３５Ａ〜３５Ｃの他端は送水管３に接続されている。また、送水支管３５Ａ〜３５Ｃには、送水管３からし渣分離槽６Ａ〜６Ｃへの汚水の逆流を防止するために、ボール弁３６と逆止弁３７が介設されている。また、し渣分離槽６Ａ〜６Ｃの下部には、汚水出入口として機能する水平方向に延びる汚水出入口管４０が設けられている。この汚水出入口管４０には、セパレータ８Ａ〜８Ｃを介して対応する水中ポンプ７Ａ〜７Ｃの吐出管４４が着脱可能に接続されている。
【００３１】
次に、水中ポンプ７Ａ〜７Ｃを説明する。水中ポンプ７Ａ〜７Ｃは、図示しないインペラを配置したインボリュート室が内部に形成されたポンプ本体４１と、インペラを回転駆動するための水中モータ４２とを備える。ポンプ本体４１は、下向きに延びる吸込管（吸込口）４３を備える。吸込管４３の端部は予旋回槽２６の上方に位置し、汚水貯留槽４の内部に開放されている。また、ポンプ本体４１は、し渣分離槽６Ａ〜６Ｃに向けて水平方向に延びる吐出管（吐出口）４４を備える。図７を参照すると、吐出管４４の端部には、固液分離スクリーン８Ａ〜８Ｃがボルト止めされている。水中ポンプ７Ａ〜７Ｃは、停止時に、し渣分離槽６Ａ〜６Ｃ側から吐出管４４に流入した汚水が吸込管４３へ逆流し、吸込管４３から汚水貯留槽４の内部に放流されるものである必要がある。本明細書では、水中ポンプ７Ａ〜７Ｃの吸込管４３から吐出管４４に至る流路の最小径を水中ポンプ８Ａ〜８Ｃの異物通過径という。
【００３２】
図７を参照すると、固液分離スクリーン８Ａ〜８Ｃは、全体として扁平な直方体状のブロック４７を備える。このブロック４７を貫通する流路４７ａが形成されている。この流路４７ａは図において左端の端部がし渣分離槽６Ａ〜６Ｃの汚水出入口管４０内の流路４０ａと連通し、図において右側の端部が水中ポンプ７Ａ〜７Ｃの吐出管４４内の流路４４ａと連通している。固液分離スクリーン８Ａ〜８Ｃの流路４７ａ内には、複数のスクリーンロッド４８が配置されている。これらスクリーンロッド４８の先端で囲まれた円形領域及び隣接するスクリーンロッド４８間の隙間は、水中ポンプ７Ａ〜７Ｃの異物通過径以下に設定している。
【００３３】
水中ポンプ７Ａ〜７Ｃの吸込管４３とし渣分離槽６Ａ〜６Ｃの汚水出入口管４０は着脱自在に接続されており、前述の吊り下げ装置１３によって案内ロッド５８に沿って水中ポンプ７Ａ〜７Ｃを昇降させることで汚水貯留槽４から出し入れできる。
【００３４】
次に、図１３Ａから図１３Ｄをさらに参照して、第１実施形態の汚水中継ポンプ設備１の動作を説明する。通常、水中ポンプ７Ａ〜７Ｃのうちいずれかが作動状態であれば、他方は停止状態であり、停止状態の水中ポンプ７Ａ〜７Ｃに対応するし渣分離槽６Ａ〜６Ｃに流入管２からの汚水の流入が可能である。以下の説明では、特に言及しない限り、水中ポンプ７Ａ及び対応するし渣分離槽６Ａに着目して説明する。
【００３５】
図１３Ａに示すように、し渣を含む汚水が流入管２から流入槽５に流入する。流入槽５に流入した汚水は、流入槽５の底板１５に開口した流入口２７からし渣分離槽６Ａに流入する。
【００３６】
前述のように、し渣分離槽６Ａの流入口２７の流路径Ｄ１は、し渣分離槽６Ａの流出管３４の流路の流路径Ｄ２以下に設定している。従って、流出管３４を通過できない大型のし渣は流入口２７からし渣分離槽６Ａ内に流入せず、流入槽５の底板１５上に残り、し渣分離槽６Ａの流出管３４の閉塞を防止することができる。
【００３７】
し渣分離槽６Ａの流入口２７や固液分離スクリーン８Ａが一時的に閉塞した場合、不明水や一時的な計画汚水流入量以上の流入がある場合、流入管２から流入する汚水が流入槽５から汚水貯留槽４に直接越流（流入）する。具体的には、流入槽５の側壁部１６Ａ〜１６Ｄの側部開口１６ａから汚水が溢れ出て汚水貯留槽４に越流する。この越流する汚水に夾雑物ないしは大型のし渣が含まれていると、水中ポンプ７Ａの作動時に吸込口にこの大型のし渣が吸い込まれて、閉塞が引き起こるおそれがある。しかし、側壁部１６Ａ〜１６Ｄの側部開口１６ａは水中ポンプ７Ａの異物通過径以下に設定しているので、汚水に含まれている異物通過径よりも大きい大型のし渣は、側部開口１６ａを通過できずに流入槽５内に残る。従って、汚水の越流が生じた場合でもマンホール４内への大型のし渣の流入を防止し、それに起因する水中ポンプ７Ａの閉塞を防止できる。
【００３８】
流入槽５の側壁部１６Ａ〜１６Ｄに詰まりが生じていると、し渣分離槽の流入口や固液分離機構が一時的に閉塞した場合や、不明水や一時的な計画汚水流入量以上の流入がある場合、流入槽５の上部開口１７から越流が生じる。しかし、上部開口１７には複数の捕捉ロッド１０６が異物通過径以下の間隔で配置された構造のスクリーン１００が配置されているので、上部開口１７を通って流入槽から汚水貯留槽へ越流する汚水に含まれる大型のし渣は捕捉ロッド１０６で捕捉されることで流入槽５内に残る。つまり、流入槽５の側壁部１６Ａ〜１６Ｄに詰まりが生じていても、越流時に汚水貯留槽４内への大型のし渣の越流を確実に防止し、それに起因する水中ポンプ７Ａの閉塞を防止できる。また、捕捉ロッド１０６の第２中間部分１０６ｃと先端部１０６ｄは斜め下向きに延びているので、越流時に捕捉ロッド１０６に捕捉されたし渣は自重によって捕捉ロッド１０６の先端に向けて移動し、最終的には捕捉ロッド１０６の先端から流入槽５内に落下する。従って、スクリーン１００のし渣による詰まりが生じにくい。
【００３９】
図１３Ｂ及び図１３Ｃに示すように、し渣分離槽６Ａに流入した汚水は、さらに汚水出入口管４０から固液分離スクリーン８Ａを介して停止中の水中ポンプ７Ａの吐出管４４に流入し、水中ポンプ７Ａ内を逆流して吸込管４３から汚水貯留槽４内に放流される。固液分離スクリーン８Ａの流路４７ａを通過する際に、スクリーンロッド４８によってし渣が分離されるので、し渣分離槽６Ａ内にはし渣が蓄積され、し渣を分離済みの汚水が汚水貯留槽４の内部に蓄積される。一方、汚水自体は水中ポンプ７Ａの吐出管４４へ流れる。
【００４０】
汚水貯留槽４内が予め定められた水位に達したことを水位計１０，１１が検出すると、コントローラ９により水中ポンプ７Ａが始動される。図１３Ｄに示すように、水中ポンプ７Ａが作動すると、汚水貯留槽４内の汚水が吸込管４３から吸い込まれ、吐出管４４から吐出される。水中ポンプ７Ａによって吐出された汚水は、固液分離スクリーン８Ａを通って汚水出入口管４０からし渣分離槽６Ａ内に圧送される。し渣分離槽６Ａ内に蓄積されているし渣は、水中ポンプ７Ａから圧送される汚水と共に、流出管３４を介して送水管３に送られる。し渣分離槽６Ａと流入槽５とを接続する流入口２７はボール３１が弁座３２に着座することによって閉鎖されている。従って、し渣分離槽６Ａから流入槽５へ汚水は逆流しない。
【００４１】
スクリーン１００を構成する各スクリーンユニット１０１Ａ，１０１Ｂはねじ止め機構１０５を緩めるだけで流入槽５の側壁部１６Ａ，１６Ｃから取り外すことができる。流入槽５からスクリーン１００を構成する各スクリーンユニット１０１Ａ，１０１Ｂを取り外せば、流入槽５の上部開口１７は流入管２が配置されている部分を除いて障害物のない状態（完全に開口した状態）となるので、定期清掃等の際には流入槽５内のし渣を簡単に取り出して廃棄できる。この点で維持管理が容易である。また、スクリーン１００の捕捉ロッド１０６の第２中間部１０６ｃと先端部１０６ｄは斜め下向きに延びているので、クリーン１００（流入槽５の上部開口１７）に向けて上方から水を掛けるだけで捕捉ロッド１０６で捕捉されたし渣は先端に向けて移動して流入槽５内に落下する。この点でも、定期清掃等の維持管理が容易である。
【００４２】
図１２Ａ，１２Ｂは捕捉ロッド１０６の代案を示す。これらの代案では、第１中間部分１０６ｃ（図１０参照）を省略した形状である。図１２Ａでは捕捉ロッド１０６の上部が流入槽５の上端から大きく突出しているのに対して、図１２Ｂで捕捉ロッド１０６の大部分が流入槽５内に収容されている。
【００４３】
（第２実施形態）
図１４から図１７に示す本発明の第２実施形態は、流入槽５の上部開口１７に配置されたスクリーン２００の構成のみが第１実施形態と異なる。汚水中継ポンプ設備１のその他の構成は図１から図７を参照して説明した第１実施形態の場合と同様である。本実施形態のスクリーン２００は第１実施形態の捕捉ロッド１０６に代えて捕捉プレート２０１を備え、この捕捉プレート２０１は流入槽５の側壁部１６Ａ，１６Ｃに対して回動可能に取り付けられている。
【００４４】
それぞれ流入槽５の側壁部１６Ａ，１６Ｃに対応する一対のスクリーンユニット２０２Ａ，２０２Ｂは、それぞれ流入槽５の側壁部１６Ｂ，１６Ｄに固定された共通の支持プレート２０３Ａ，２０３Ｂに両端が支持されている。これらのスクリーンユニット２０２Ａ，２０２Ｂは同一構造であるので、以下では特に言及しない限り、スクリーンユニット２０２Ａについて説明する。
【００４５】
図１７を参照すると、スクリーンユニット２０２Ａは、両端に雄ねじ部２０４ａが形成された軸ロッド２０４と、この軸ロッド２０４が挿入されたパイプ２０５を備える。パイプ２０５に間隔をあけて捕捉プレート２０１が固定されている。軸ロッド２０４の雄ねじ部２０４ａは支持プレート２０３Ａ，２０３Ｂに設けられた支持孔２０３ａに挿入されると共に、隙間調整要のワッシャ２０６とナット２０７Ａ，２０７Ｂが設けられている。後に詳述するように、捕捉プレート２０１が固定されたパイプ２０５は軸ロッド２０４を中心に回転可能である。
【００４６】
図１５を参照すると、捕捉プレート２０１の全体的な形状は二等辺三角形を横倒しにした形状に近い爪状である。具体的には、捕捉プレート２０１は基端側の上部がパイプ２０５に固定され、基端側の上部から下向きに延びる係止部２０１ａを備える。また、捕捉プレート２０１は基端側から斜め下向きに延びる上側円弧状部２０１ｂと下側円弧状部２０１ｃとを備える。
【００４７】
図１６に示すように、流入管２の開口端２ａが流入槽５の上部開口１７を通過する部分では、捕捉プレート２０１の長さを他の部分より短く設定して流入管２と干渉しないように設定している。この部分での捕捉プレート２０１の先端と流入管２の外周との間の隙間も大型のし渣の通過は許容しないように水中ポンプ７Ａ〜７Ｃの異物通過径以下に設定されている。一対のスクリーンユニット２０２Ａ，２０２Ｂの捕捉プレート２０１の先端は側壁部６Ａ，６Ｃの延びる方向に互い違いに配置されている。一対のスクリーンユニット２０２Ａ，２０２Ｂの捕捉プレート２０１の先端が互いに対向する配置としてもよい。一対のスクリーンユニット２０２Ａ，２０２Ｂの捕捉プレート２０１の先端間に形成される隙間も、大型のし渣の通過は許容しないように水中ポンプ７Ａ〜７Ｃの異物通過径以下に設定されている。
【００４８】
流入槽５の側壁部１６Ａ〜１６Ｄに詰まりが生じていると、し渣分離槽の流入口や固液分離機構が一時的に閉塞した場合や、不明水や一時的な計画汚水流入量以上の流入がある場合、流入槽５の上部開口１７から越流が生じる。しかし、上部開口１７には複数の捕捉プレート２０１が異物通過径以下の間隔で配置された構造のスクリーン２００が配置されているので、上部開口１７を通って流入槽から汚水貯留槽へ越流する汚水に含まれる大型のし渣は捕捉プレート２０１で捕捉されることで流入槽５内に残る。つまり、流入槽５の側壁部１６Ａ〜１６Ｄに詰まりが生じていても、越流時に汚水貯留槽４内への大型のし渣の越流を確実に防止し、それに起因する水中ポンプ７Ａ〜７Ｃの閉塞を防止できる。また、上側円弧状部２０１ｂと下側側円弧状部２０１ｃとを備える捕捉プレート２０１は、先端を含むほぼ全体が斜め下向きに延びているので、越流時に捕捉プレート２０１に捕捉されたし渣は自重によって捕捉プレート２０１の先端に向けて移動し、最終的には捕捉プレート２０１の先端から流入槽５内に落下する。従って、スクリーン２００のし渣による詰まりが生じにくい。
【００４９】
係止部２０１ａが側壁部１６Ａに係止されることで、捕捉プレート２０１の矢印Ａ１周りの回転が阻止される。しかし、パイプ２０５及び捕捉プレート２０１は矢印Ａ２周りには回転させることができる。この矢印Ａ２周りの回転により捕捉プレート２０１を流入槽５の上部開口１７から退避させることができる。捕捉プレート２０１を上部開口から退避させれば、流入槽５の上部開口１７は流入管２が配置されている部分を除いて障害物のない状態（完全に開口した状態）となるので、定期清掃等の際には流入槽５内のし渣を簡単に取り出して廃棄できる。この点で維持管理が容易である。また、捕捉プレート２０１は上側円弧状部２０１ｂと下側円弧状部２０１ｃとを備え先端を含むほぼ全体が斜め下向きに延びているので、スクリーン２００（流入槽５の上部開口１７）に向けて上方から水を掛けるだけで捕捉プレート２０１で捕捉されたし渣は先端に向けて移動して流入槽５内に落下する。この点でも、定期清掃等の維持管理が容易である。
【００５０】
図１８Ａ，１８Ｂは捕捉プレート２０１の代案を示す。これらの代案では、上側円弧状部２０１ｂと下側円弧状部２０１ｃとの間の幅を大幅に狭めて細長い爪状としている。図１８Ａでは係止部２０１ａの上端付近を貫通するようにパイプ２０５に固定されているが、図１８Ｂではパイプ２０５の上側部分に捕捉プレート２０１が固定されている。
【００５１】
本発明は前記実施形態に限定されず種々の変形が可能である。例えば、第１実施形態のようにスクリーン２００（スクリーンユニット２０２Ａ，２０２Ｂ）を流入槽５に対して着脱可能とする構成の場合に、捕捉ロッド１０６に代えて第２実施形態の捕捉プレート２０１を採用してもよい。また、第２実施形態のようにスクリーン２００を流入槽５の側壁部に１６Ａ，１６Ｃに対して可動可能とする構成の場合に、捕捉プレート２０１に代えて第１実施形態の捕捉ロッド１０６を採用してもよい。
【図面の簡単な説明】
【００５２】
【図１】本発明の第１実施形態に係る汚水中継ポンプ設備の縦断面図。
【図２】図１のII−II線での断面図。
【図３】図１のIII−III線での断面図。
【図４】図１のIV−IV線での断面図。
【図５】図１のV−V線での断面図。
【図６】図２の部分VIの拡大図。
【図７】図２の部分VIIの拡大断面図。
【図８】第１実施形態における流入槽及びスクリーンの部分斜視図。
【図９】第１実施形態における流入槽及びスクリーンの側面図。
【図１０】図９の部分拡大図。
【図１１】第１実施形態における流入槽及びスクリーンの部分平面図。
【図１２Ａ】第１実施形態のスクリーンの代案を示す部分拡大図。
【図１２Ｂ】第２実施形態のスクリーンの他の代案を示す部分拡大図。
【図１３Ａ】し渣分離槽への汚水の流入開始時の状態を示す概略断面図。
【図１３Ｂ】し渣分離槽への汚水の流入中の状態を示す概略断面図。
【図１３Ｃ】し渣分離槽が汚水で満たされた状態を示す概略断面図。
【図１３Ｄ】水中ポンプにより汚水貯留槽内の汚水をし渣分離槽を介して圧送する状態を示す概略断面図。
【図１４】第２実施形態における流入槽及びスクリーンの部分斜視図。
【図１５】第２実施形態における流入槽及びスクリーンの側面図。
【図１６】第２実施形態における流入槽及びスクリーンの部分平面図。
【図１７】図１６の部分XVIIの拡大図。
【図１８Ａ】第２実施形態のスクリーンの代案を示す部分拡大図。
【図１８Ｂ】第２実施形態のスクリーンの他の代案を示す部分拡大図。
【符号の説明】
【００５３】
１  汚水中継ポンプ設備
２  流入管
２ａ  開口端
３  送水管
４  汚水貯留槽
４ａ  搬入出口
５  流入槽
６Ａ，６Ｂ，６Ｃ  し渣分離槽
７Ａ，７Ｂ，７Ｃ  水中ポンプ
８Ａ，８Ｂ，８Ｃ  セパレータ
９  コントローラ
１０  投込式水位計
１１  フロート式水位計
１２  建屋
１３  吊り下げ装置
１５  底板
１５ａ  貫通孔
１６Ａ，１６Ｂ，１６Ｃ，１６Ｄ  側壁部
１６ａ  側部開口
１７  上部開口
２６  予旋回槽
２７  流入口
２８  円板
３１  ボール
３２  弁座
３４  流出管
３５Ａ，３５Ｂ，３５Ｃ  送水支管
３６  ボール弁
３７  逆止弁
４０  汚水出入口管
４０ａ  流路
４１  ポンプ本体
４２  水中モータ
４３  吸込管
４４  吐出管
４４ａ  流路
４７  ブロック
４７ａ  流路
４８  スクリーンロッド
５８  案内ロッド
１００  スクリーン
１０１Ａ，１０１Ｂ  スクリーンユニット
１０２  ベース部材
１０３  ボルト
１０４  ナット
１０５  ねじ止め機構
１０６  捕捉ロッド
１０６ａ  基端部
１０６ｂ  第１中間部
１０６ｃ  第２中間部
１０６ｄ  先端部
２００  スクリーン
２０１  捕捉プレート
２０１ａ  係止部
２０１ｂ  上側円弧状部
２０１ｃ  下側円弧状部
２０２Ａ，２０２Ｂ  スクリーンユニット
２０３Ａ，２０３Ｂ  支持プレート
２０３ａ  支持孔
２０４  軸ロッド
２０４ａ  雄ねじ部
２０５  パイプ
２０６  ワッシャ
２０７Ａ，２０７Ｂ  ナット
【図１】
2010116752.tif 000003
【図２】
2010116752.tif 000004
【図３】
2010116752.tif 000005
【図４】
2010116752.tif 000006
【図５】
2010116752.tif 000007
【図６】
2010116752.tif 000008
【図７】
2010116752.tif 000009
【図８】
2010116752.tif 000010
【図９】
2010116752.tif 000011
【図１０】
2010116752.tif 000012
【図１１】
2010116752.tif 000013
【図１２Ａ】
2010116752.tif 000014
【図１２Ｂ】
2010116752.tif 000015
【図１３Ａ】
2010116752.tif 000016
【図１３Ｂ】
2010116752.tif 000017
【図１３Ｃ】
2010116752.tif 000018
【図１３Ｄ】
2010116752.tif 000019
【図１４】
2010116752.tif 000020
【図１５】
2010116752.tif 000021
【図１６】
2010116752.tif 000022
【図１７】
2010116752.tif 000023
【図１８Ａ】
2010116752.tif 000024
【図１８Ｂ】
2010116752.tif 000025